(57)【要約】【課題】プランジャにより作動される電磁弁において、外部から給排されるオイルに含まれる異物によりプランジャの動作が不安定にならないようにする。【解決手段】同軸的に配列されたヨーク部１２ａとコア部１２ｂよりなるステータ１１内に形成した内孔１１ａにより摺動自在に案内支持したプランジャ１５を電磁コイルにより移動させ、弁部２０のスプール２６を作動させる。プランジャの一端面側と他端面側にそれぞれ形成される電磁部液室Ｂと端部液室Ａの何れか一方は給排通路１９を介して外部に連通され、この両液室を互いに連通する連通路は、ステータの外周面とこれを覆うカバー１４の間に形成された第１連通路１６と、ステータの一端面と弁部の間に形成された第２連通路１７と、ステータの他端面とカバーの内端面の間に形成された第３連通路１８よりなるものである。【選択図】    図１
2004278607.tif 000002
【特許請求の範囲】
【請求項１】
互いに同軸的に直列配置されたヨーク部およびコア部ならびにこの両部の外周に巻回されてこの両部を励磁する電磁コイルを有するステータと、このステータ内であって前記ヨーク部およびコア部の少なくとも一方に形成された内孔により摺動自在に案内支持されてスプリングにより一方向に付勢され前記電磁コイルにより前記ステータが励磁されれば前記スプリングに抗して軸線方向に移動されるプランジャと、前記ステータの外側を覆うカバーと、前記ステータの一端面に取り付けられた弁スリーブと、この弁スリーブの弁孔内に摺動自在に案内支持され前記ステータの内部を通る軸部を介して前記プランジャに連結されて同プランジャとともに移動されるスプールと、前記プランジャの一端面と前記内孔により形成される電磁部液室と前記プランジャの他端面と前記ステータの内孔と前記カバーの内端面の間に形成される端部液室を互いに連通する連通路と、前記端部液室および電磁部液室の少なくとも何れか一方を外部に連通する給排通路を備えてなる電磁弁において、前記連通路は、前記ステータの外周面とこれを覆う前記カバーの内周面の間に長手方向に沿って形成された第１連通路と、前記ステータの一端面と前記弁スリーブの間に形成されて前記電磁部液室を前記第１連通路の一端部に連通する第２連通路と、前記ステータの他端面と前記カバーの内端面の間に形成されて前記端部液室を前記第１連通路の他端部に連通する第３連通路よりなることを特徴とする電磁弁。
【請求項２】
請求項１に記載の電磁弁において、前記ステータと弁スリーブの間に形成され通路を介して前記電磁部液室に連通される中間液室をさらに備え、前記第２連通路は前記中間液室を前記第１連通路の一端部に連通し、前記給排通路は前記中間液室を外部に連通することを特徴とする電磁弁。
【請求項３】
請求項１または請求項２に記載の電磁弁において、前記第２連通路および第３連通路の少なくとも何れか一方は迷路状に形成したことを特徴とする電磁弁。
【請求項４】
請求項１〜請求項３の何れか１項に記載の電磁弁において、前記給排通路は迷路状に形成したことを特徴とする電磁弁。
【請求項５】
請求項２〜請求項４の何れか１項に記載の電磁弁において、前記中間液室は前記ステータ側の第１室と前記弁スリーブ側の第２室とに分離する透過性仕切壁をさらに備え、前記第２連通路は前記第１室を前記第１連通路の一端部に連通し、前記給排通路は前記第１室を外部に連通する駆動部側給排通路とし、前記第２室は前記駆動部側給排通路とは別の弁部側吸排通路を介して外部に連通したことを特徴とする電磁弁。
【発明の詳細な説明】
【０００１】
【発明の属する技術分野】
本発明は、電磁駆動部のプランジャの軸線方向ストロークにより弁部のスプールを作動させるようにした電磁弁、特に車両の電子制御式自動変速機のオイルパンなどの内部に設けて使用するのに適した電磁弁に関する。
【０００２】
【従来の技術】
この種の電磁弁の電磁駆動部には、第１のソレノイドハウジング（コア部）および第２のソレノイドハウジング（ヨーク）を同軸的に直列配置し、このソレノイドハウジングに形成した摺動孔によりプランジャを摺動可能に案内支持し、ソレノイドハウジング（ステータ）をソレノイドにより励磁させてプランジャをスプリングに抗して軸線方向に移動させることにより、ソレノイドハウジングに取り付けられたスプールハウジング内のスプールを作動させるようにしたものがある。ソレノイドハウジングに形成された摺動孔とプランジャの一端面とソレノイドハウジングを覆うカバーの内端面間に形成される端部液室はプランジャのストロークに応じて容積が変化するので、プランジャの中心部に形成された通路を介してプランジャの他端面とソレノイドハウジングの間に形成された電磁部液室に連通され、電磁部液室はソレノイドハウジングとスプールハウジングの間に形成された中間液室を介して外部（オイルパン内など）に連通されている（例えば特許文献１、特にその従来技術の記載参照）。この従来技術では、端部液室の容積の変化に伴いその内部には、電磁部液室を通って微細な鉄粉などの異物が浮遊する外部のオイルパン内などのオイルが給排されるので、プランジャ両側の液室内の異物の含有量は次第に増大し、この異物が互いに摺動するプランジャと摺動孔の間にかみ込むと、プランジャの動作に悪影響を及ぼすおそれがある。
【０００３】
そこでこのような問題を解決するために、プランジャを、嵌合孔に進退可能に嵌合され中心に圧入穴を形成した磁性体からなる可動部材と、可動部材の圧入穴に圧入され可動部材からスプール側へ突出したシャフトで構成し、可動部材を嵌合孔から浮いた状態で支持すべくスプールにシャフトの一端が嵌め込まれる凹みを形成することが行われている（例えば、特許文献１参照）。しかしながらこの技術では、磁性体からなる可動部材とソレノイドハウジングの間の隙間が大きくなり、これにより磁気回路の磁気抵抗が増大してソレノイドハウジングと可動部材の磁化が減少し、このためプランジャに加わる磁気的吸引力が減少して電磁弁の作動特性が不安定になり、あるいは同じ作動特性を得るためにはソレノイドが大型化するという問題がある。
【０００４】
このような各問題を解決する手段として、図５〜図７に示すような電磁弁がある。この電磁弁の電磁駆動部１は、実質的に最初に述べた技術と同様、電磁コイル２ｂにより励磁されるステータ２の内孔２ａに摺動可能に案内支持されたプランジャ３の両側に形成された各液室Ａ，Ｂがプランジャ３の外周部に形成された長手方向溝３ａにより互いに連通され、電磁部液室Ｂはスプール７の軸部７ａとステータ２の間に形成された環状の通路Ｃおよびステータ２と弁スリーブ６の間に形成された中間液室Ｄを介して外部に連通されているが、中間液室Ｄは不織布などよりなる透過性仕切壁Ｅによりステータ２側の第１室Ｄ１と弁スリーブ６側の第２室Ｄ２に分離され、各室Ｄ１，Ｄ２は互いに別個の駆動部側給排通路４と弁部側吸排通路９を介して外部に連通されている。駆動部側給排通路４は、ステータ２の外端面に形成された環状溝４ａと、その互いに反対側となる部分をそれぞれ第１室Ｄ１および外部に連通する切欠き４ｂ，４ｃよりなる迷路状のものであり（図６参照）、弁部側吸排通路９は、弁スリーブ６の端面に形成された環状溝９ａと、その互いに反対側となる部分をそれぞれ第２室Ｄ２および外部に連通する切欠き９ｂ，９ｃよりなる迷路状のものである（図７参照）。
【０００５】
スプリング８によりステータ２側に向けて付勢されるスプール７の先端の軸部７ａは、透過性仕切壁Ｅを液密にまた摺動自在に通り抜けてプランジャ３の一端に当接されている。なお、弁部５の各作動室内を通るオイルも鉄粉などの異物を含んでおり、このオイルの一部は弁スリーブ６の弁孔６ａとスプール７のランド部の間の隙間を通って第２室Ｄ２内に洩れる（この点は特許文献１の技術でも同じである）ので、第２室Ｄ２内のオイルの異物の含有量は第１室Ｄ１内のオイルの異物の含有量よりも速やかに増大する。
【０００６】
この図５〜図７に示す電磁弁によれば、端部液室Ａの容積の変化に伴い電磁部液室Ｂを通って給排されるオイルは、主として第１室Ｄ１および駆動部側給排通路４を通り、第２室Ｄ２から透過性仕切壁Ｅを通って第１室Ｄ１に入って各液室Ａ，Ｂに供給されるオイルは透過性仕切壁Ｅにより異物が除去されたものである。従って、両液室Ａ，Ｂ内への異物の侵入や、かりに侵入したとしてもその異物の含有量の増大の速度は、前述したように透過性仕切壁Ｅを設けていない特許文献１のものに比して遅くなり、プランジャの動作に悪影響を及ぼすまでの期間を延ばすことができる。なお、この図５〜図７に示す技術は比較例として示すもので公知技術ではなく、またそのような構造を記載した文献は見当たらない。
【０００７】
【特許文献１】
特開平１−２４２８８４号公報（第１頁右下欄第１０行〜第２頁右上欄第２行目、第１図および第２図）。
【０００８】
【発明が解決しようとする課題】
しかしながら、図５〜図７に示す電磁弁も、特許文献１の電磁弁と同様、端部液室Ａと電磁部液室Ｂはプランジャ３に形成された長手方向溝３ａにより互いに連通されており、プランジャのストロークに応じて容積が変化する端部液室Ａ内へのオイルの給排は電磁部液室Ｂを通ってなされるので、電磁部液室Ｂ内への異物の侵入を少なくすることはできるものの充分に阻止できるものではなく、またプランジャの作動を長期間スムーズに作動するためにも、その異物の含有量の増大速度の減少は必ずしも満足すべきものではない。そして電磁部液室Ｂ内の異物の含有量が増大すれば端部液室Ａ内の異物の含有量も次第に増大するので、プランジャの動作に悪影響及ぼすまでの期間の延長の程度も充分ではない。
【０００９】
本発明は、このような各問題を解決して異物の侵入をより確実に防止してプランジャの動作が不安定になるまでの期間をさらに延ばすことを目的とする。
【００１０】
【課題を解決するための手段】
このために、本発明による電磁弁は、互いに同軸的に直列配置されたヨーク部およびコア部ならびにこの両部の外周に巻回されてこの両部を励磁する電磁コイルを有するステータと、このステータ内であってヨーク部およびコア部の少なくとも一方に形成された内孔により摺動自在に案内支持されてスプリングにより一方向に付勢され電磁コイルによりステータが励磁されればスプリングに抗して軸線方向に移動されるプランジャと、ステータの外側を覆うカバーと、ステータの一端面に取り付けられた弁スリーブと、この弁スリーブの弁孔内に摺動自在に案内支持されステータの内部を通る軸部を介してプランジャに連結されて同プランジャとともに移動されるスプールと、プランジャの一端面と内孔により形成される電磁部液室とプランジャの他端面とステータの内孔とカバーの内端面の間に形成される端部液室を互いに連通する連通路と、端部液室および電磁部液室の少なくとも何れか一方を外部に連通する給排通路を備えてなる電磁弁において、端部液室と電磁部液室の間の連通路は、ステータの外周面とこれを覆うカバーの内周面の間に長手方向に沿って形成された第１連通路と、ステータの一端面と弁スリーブの間に形成されて電磁部液室を第１連通路の一端部に連通する第２連通路と、ステータの他端面とカバーの内端面の間に形成されて端部液室を第１連通路の他端部に連通する第３連通路よりなることを特徴とするものである。
【００１１】
前項に記載の電磁弁は、ステータと弁スリーブの間に形成され通路を介して電磁部液室に連通される中間液室をさらに備えたものとし、第２連通路は中間液室を第１連通路の一端部に連通し、給排通路は中間液室を外部に連通することが好ましい。
【００１２】
前２項に記載の電磁弁は、第２連通路および第３連通路の少なくとも何れか一方を迷路状に形成することが好ましい。
【００１３】
前３項に記載の電磁弁は、給排通路を迷路状に形成することが好ましい。
【００１４】
前３項に記載の電磁弁の中間液室はステータ側の第１室と弁スリーブ側の第２室とに分離する透過性仕切壁をさらに備えたものとし、第２連通路は第１室を第１連通路の一端部に連通し、給排通路は第１室を外部に連通する駆動部側給排通路とし、第２室は駆動部側給排通路とは別の弁部側吸排通路を介して外部に連通することが好ましい。
【００１５】
【発明の作用および効果】
上述のように、本発明によれば、端部液室と電磁部液室Ｂを連通する連通路は、ステータとこれを覆うカバーの間に形成された第１連通路と、ステータの一端面と弁スリーブの間に形成されて電磁部液室を第１連通路に連通する第２連通路と、ステータの他端面とカバーの間に形成されて端部液室を第１連通路に連通する第３連通路よりなるものとしたので、プランジャに形成された従来の連通路に比して長くなる。従ってプランジャのストロークに応じて容積が変化する端部液室および電磁部液室へのオイルの給排により何れか一方の液室の内部のオイルの異物の含有量が増大しても、そのオイルが他方の液室に達してその液室内の異物の含有量も増大するまでには時間がかかるので、その分だけこのような異物の噛み込みによりプランジャの動作に悪影響を及ぼすまでの期間を延長することができる。
【００１６】
請求項２に記載の電磁弁によれば、プランジャのストロークに応じて容積が変化する端部液室および電磁部液室へのオイルの給排はそれぞれ中間液室との間でなされて、他方の液室を通過することなくなされる。これにより給排の都度各液室を通過するオイル量が減少するので、各液室内への異物の侵入をより確実に阻止でき、その結果異物の含有量の増大速度がより減少する。従って異物の噛み込みによりプランジャの動作に悪影響を及ぼすまでの期間はさらに延長される。
【００１７】
請求項３の電磁弁によれば、端部液室と電磁部液室を連通する連通路の長さが大になるとともに形状も複雑化されるので、何れか一方の液室の内部のオイルの異物の含有量が増大しても、そのオイルが他方の液室に達してその液室内の異物の含有量が増大するまでの時間が一層増大する。従って異物の噛み込みによりプランジャの動作に悪影響を及ぼすまでの期間を一層延長することができる。
【００１８】
請求項４の電磁弁によれば、中間液室と外部を連通する給排通路の長さが大になるとともに形状も複雑化されるので、中間液室内のオイルの異物の含有量が増大するまでの時間が増大する。従って異物の噛み込みによりプランジャの動作に悪影響を及ぼすまでの期間をさらに一層延長することができる。
【００１９】
請求項５の電磁弁によれば、端部液室および電磁部液室に連通される第１室に対する外部からのオイルの給排は、主として駆動部側給排通路を通ってなされ、一部は弁部側吸排通路および第２室を通ってなされるが、後者の第２室を通ってなされるオイルの給排は透過性仕切壁を通してなされるので、第２室から第１室に供給されるオイルは透過性仕切壁により異物が除去されたものである。このように第１室に供給されるオイルの一部は異物が除去されたものとなるので、異物の噛み込みによりプランジャの動作に悪影響を及ぼすまでの期間をさらに一層延長することができる。
【００２０】
【発明の実施の形態】
以下に、図１〜図４に示す実施の形態により、本発明による電磁弁の説明をする。この実施の形態の電磁弁は、互いに同軸的に設けられた電磁駆動部１０および弁部２０よりなるものである。
【００２１】
主として図１に示すように、電磁駆動部１０はステータ１１とプランジャ１５よりなるものである。ステータ１１は、非磁性体のパイプ１２ｄを介して同軸的に連結され、間にエアギャップ（非磁性部）１２ｅが形成された磁性体よりなるヨーク部１２ａおよびコア部１２ｂと、この両部１２ａ，１２ｂの両端のフランジ部を除く中間の小径部の外周に巻回されてヨーク部１２ａおよびコア部１２ｂを励磁する電磁コイル１３よりなるものである。このステータ１１にはヨーク部１２ａとコア部１２ｂの一部にわたり内孔１１ａと、それよりやや大径の内孔１１ｂが形成され、コア部１２ｂの残部には内孔１１ｂより小径の中心孔１２ｃが形成されている。またステータ１１の外側を覆うカバー１４は磁性体よりなる有底円筒状で、ヨーク部１２ａとコア部１２ｂの両端のフランジ部を磁気的に接続するものである。カバー１４は内底面がヨーク部１２ａのフランジ部の外端面に当接され、開放側端部は後述するように、コア部１２ｂのフランジ部と弁部２０の弁スリーブ２１をかしめにより連結している。
【００２２】
プランジャ１５は全体が磁性体よりなるもので、ステータ１１の内孔１１ａ内に摺動自在に案内支持され、弁部２０側となる一端面１５ａがコア部１２ｂに形成された内孔１１ａの内端面にワッシャ１５ｃを介して当接する前進位置（図１の下半部参照）と、他端面１５ｂがカバー１４の内底面に当接する後退位置（図１の上半部参照）の間で移動可能である。プランジャ１５の一端面１５ａとコア部１２ｂ内の内孔１１ａにより電磁部液室Ｂが形成され、また他端面１５ｂとヨーク部１２ａ内の内孔１１ａとカバー１４の内底面により端部液室Ａが形成されている。
【００２３】
弁部２０は、図１に示すように、弁スリーブ２１と、この弁スリーブ２１に同軸的に形成した弁孔２１ａに摺動自在に嵌合支持されたスプール２２よりなるもので、弁スリーブ２１はその一端部のフランジ部がコア部１２ｂのフランジ部の外端面に当接され、カバー１４の開放側端部によりかしめられてステータ１１と同軸的に固定されている。スプール２２は、弁スリーブ２１の後端にねじ込まれた栓部材２３との間に介装したスプリング２４により電磁駆動部１０側に向けて付勢され、スプール２２の先端より突出する軸部２２ａは、コア部１２ｂの中心孔１２ｃ内を通って、先端がプランジャ１５の一端面１５ａに当接されている。これにより不作動状態では、プランジャ１５は他端面１５ｂがカバー１４の内底面に当接する後退位置（前述）となっている。
【００２４】
図１に示すように、ステータ１１のコア部１２ｂと弁スリーブ２１の間の中央に形成された中間液室Ｄは、コア部１２ｂと弁スリーブ２１の当接面の間に挟持された透過性仕切壁Ｅにより、コア部１２ｂ側の第１室Ｄ１と弁スリーブ２１側の第２室Ｄ２に分離されている。透過性仕切壁Ｅは不織布またはフェルトなどよりなり、異物の通過は阻止し液体のみが透過可能なものである。この第１室Ｄ１は、コア部１２ｂの中心孔１２ｃと軸部２２ａの間に形成される環状の通路Ｃにより電磁部液室Ｂに連通されている。スプール２２の先端から突出してプランジャ１５の一端面１５ａに当接される軸部２２ａは、透過性仕切壁Ｅを液密にまた摺動自在に通り抜けている。
【００２５】
図１〜図３に示すように、カバー１４の内周面には、長手方向の全長に沿って延びる連通溝１６ａが鍛造などにより形成され、この連通溝１６ａとカバー１４の内周面に当接されるステータ１１の外周面により第１連通路１６が形成されている。前述のように電磁部液室Ｂに連通される第１室Ｄ１は、コア部１２ｂの外端面に形成された半径方向溝１７ａと、これに当接する弁スリーブ２１により形成される第２連通路１７により第１連通路１６の一端に連通されている。また図１および図２に示すように、ヨーク部１２ａの外端面には、内孔１１ａと同心の環状溝１８ａと、この環状溝１８ａの互いに１８０度位相が異なる部分をそれぞれ端部液室Ａと第１連通路１６の他端に連通する内側切欠き１８ｂと外側切欠き１８ｃが形成されており、この外端面に当接されるカバー１４の内端面とこれらの環状溝１８ａと各切欠き１８ｂ，１８ｃにより形成される迷路状の第３連通路１８により、端部液室Ａは第１連通路１６の他端に連通される。これにより端部液室Ａと電磁部液室Ｂは、第３連通路１８、第１連通路１６、第２連通路１７、第１室Ｄ１および通路Ｃを介して互いに連通される。
【００２６】
図１および図３に示すように、第１室Ｄ１は、コア部１２ｂの外端面に同心に設けられて半径方向溝１７ａと交差する環状溝１９ａと、半径方向溝１７ａと１８０度位相が異なる位置に設けられた給排切欠き１９ｂと、コア部１２ｂの外端面に当接される弁スリーブ２１により形成される迷路状の駆動部側給排通路１９により、外部であるオイルパン内に連通されている。また図１および図４に示すように、コア部１２ｂの外端面と当接される弁スリーブ２１の端面には、第２室Ｄ２と同心の環状溝２５ａと、互いに１８０度の位相差をおいて設けられた内側切欠き２５ｂおよび給排切欠き２５ｃが形成され、コア部１２ｂの外端面とこれらの環状溝２５ａと各切欠き２５ｂ，２５ｃにより形成される迷路状の弁部側吸排通路２５により、第２室Ｄ２はオイルパン内に連通されている。この実施の形態では、各給排通路１９，２５のオイルパン内への給排切欠き１９ｂ，２５ｃは同じ位置に設けられている。
【００２７】
電磁コイル１７に通電すれば、通電量に応じてステータ１１が磁化されてプランジャ１５はコア部１２ｂ側に向かって吸引され、スプール２２をスプリング２４に抗して、図１において右向きに移動させて、弁部２０のスプール２２をストロークさせる。プランジャ１５およびスプール２２のこの移動により端部液室Ａおよび第２室Ｄ２の容積は増大され、電磁部液室Ｂの容積は減少される。これにより電磁部液室Ｂ内のオイルは通路Ｃ、第１室Ｄ１、各連通路１７，１６，１８を通って端部液室Ａ内に流入され、外部のオイルパン内のオイルはそれぞれ駆動部側および弁部側の各給排通路１９，２５を通って第１および第２室Ｄ１，Ｄ２内に流入される。このとき第１室Ｄ１内のオイルの一部は透過性仕切壁Ｅを通って第２室Ｄ２内に流入する。これと逆にプランジャ１５およびスプール２２が左向きに移動される場合は、各室Ａ，Ｂ，Ｄ１の容積の変化は上記と逆になり、端部液室Ａ内のオイルは各連通路１８，１６，１７、第１室Ｄ１、通路Ｃを通って電磁部液室Ｂ内に流入され、第１および第２室Ｄ１，Ｄ２内のオイルはそれぞれ駆動部側および弁部側の各給排通路１９，２５を通って外部のオイルパン内に排出される。このとき第２室Ｄ２内のオイルの一部は透過性仕切壁Ｅを通って第１室Ｄ１内に流入する。前述のように、弁孔２１ａとスプール２２のランド部の間から洩れる異物を多く含んだオイルのため第２室Ｄ２内のオイルの異物の含有量は第１室Ｄ１内のオイルの異物の含有量よりも速やかに増大するが、第２室Ｄ２から第１室Ｄ１に流入するオイルは透過性仕切壁Ｅにより濾過されて異物が除去されるので、第２室Ｄ２から流入するオイルのため第１室Ｄ１内の異物の含有量が増大することはない。
【００２８】
上述した実施の形態では、プランジャ１５両端の端部液室Ａと電磁部液室Ｂを連通する連通路は、ステータ１１とカバー１４の間に形成された第１連通路１６と、コア部１２ｂと弁スリーブ２１の間に形成された第２連通路１７と、ヨーク部１２ａとカバー１４の間に形成された第３連通路１８と、第１室Ｄ１と、通路Ｃとにより形成したので、この連通路をプランジャ１５自体に形成した従来のものに比して長さが大となる。従ってプランジャ１５のストロークに応じて容積が変化する端部液室Ａおよび電磁部液室Ｂへの異物を含むオイルパン内のオイルの給排により何れか一方の液室の内部のオイルの異物の含有量が増大しても、そのオイルが他方の液室に達してその液室内の異物の含有量も増大するまでには時間がかかるので、その分だけこのような異物が互いに摺動するプランジャ１５と内孔１１ａの間に噛み込んでプランジャ１５の動作に悪影響を及ぼすまでの期間を延長することができる。
【００２９】
上述した実施の形態では、コア部１２ｂと弁スリーブ２１の間に形成した中間液室Ｄを通路Ｃを介して電磁部液室Ｂに連通し、この中間液室Ｄを第２連通路１７と第１連通路１６と第３連通路１８を介して端部液室Ａに連通するようにしている。このようにすれば、プランジャ１５のストロークに応じて容積が変化する端部液室Ａおよび電磁部液室Ｂへの外部のオイルパンからのオイルの給排はそれぞれ中間液室Ｄとの間でなされて、端部液室Ａに給排されるオイルが電磁部液室Ｂを通ったり、電磁部液室Ｂに給排されるオイルが端部液室Ａを通ったりすることはなくなる。これにより給排の都度端部液室Ａおよび電磁部液室Ｂを通過する外部からの異物を含むオイルの量が減少するので、各液室Ａ，Ｂ内の異物の含有量の増大速度が減少する。従って異物が互いに摺動するプランジャ１５と内孔１１ａの間に噛み込んでプランジャ１５の動作に悪影響を及ぼすまでの期間を延長することができる。
【００３０】
また上述した実施の形態では、第３連通路１８は迷路状のものとしており、このようにすれば端部液室Ａと電磁部液室Ｂを連通する連通路の長さが大になるとともに形状も複雑化されるので、端部液室Ａまたは電磁部液室Ｂのオイルの異物の含有量が増大しても、そのオイルが他方の電磁部液室Ｂまたは端部液室Ａ内に入ってその内部の異物の含有量が増大するまでの時間が一層増大する。従って異物の噛み込みによりプランジャの動作に悪影響を及ぼすまでの期間は一層延長される。なお第３連通路１８の代わりに第２連通路１７を迷路状としても同様な効果が得られ、第２連通路１７および第３連通路１８の両方を迷路状とすれば、このプランジャの動作に悪影響を及ぼすまでの期間の延長効果は一層大となる。
【００３１】
なお上述した実施の形態では、中間液室Ｄを透過性仕切壁Ｅによりステータ１１側の第１室Ｄ１と弁スリーブ２１側の第２室Ｄ２とに分離し、第１室Ｄ１は第２連通路１７により第１連通路１６の一端部に連通し、第１および第２室Ｄ１，Ｄ２をそれぞれ駆動部側および弁部側の各給排通路１９，２５により外部のオイルパンに連通するようにしている。このようにすれば、前述のように異物の含有量が多くなる第２室Ｄ２から第１室Ｄ１に流入するオイルは透過性仕切壁Ｅにより濾過されて異物が除去されるので、第２室Ｄ２から流入するオイルのため第１室Ｄ１内の異物の含有量が増大することはない。従って中間液室Ｄに透過性仕切壁Ｅを設けないものに比して、異物の噛み込みによりプランジャの動作に悪影響を及ぼすまでの期間をさらに延長することができる。
【００３２】
また上述した実施の形態では、第１および第２室Ｄ１，Ｄ２を外部のオイルパンに連通する駆動部側および弁部側の各給排通路１９，２５を迷路状としており、このようにすれば各給排通路１９，２５の長さが大になるとともに形状も複雑化されるので、オイルパンから給排される異物を含有するオイルにより第１および第２室Ｄ１，Ｄ２内のオイルの異物の含有量が増大するまでの時間が増大する。従って異物の噛み込みによりプランジャの動作に悪影響を及ぼすまでの期間をさらに一層延長することができる。
【００３３】
なお上述した実施の形態では、ステータ１１の外周面とこれを覆うカバー１４の内周面の間に形成される第１連通路１６は、カバー１４の内周面に形成した連通溝１６ａと、この内周面に当接されるステータ１１の外周面により形成されているが、これと逆にステータ１１の外周面に形成した連通溝とこの外周面に当接されるカバー１４の内周面により形成してもよいし、それぞれ連通溝が形成されたステータ１１の外周面とカバー１４の内周面を当接することにより形成してもよい。同様に上述した実施の形態では。ヨーク部１２ａの外端面とカバー１４の内端面の間に形成される第３連通路１８は、ヨーク部１２ａの外端面に形成した環状溝１８ａならびに内側および外側切欠き１８ｂ，１８ｃと、この外端面に当接するカバー１４の内端面により形成されているが、カバー１４の内端面に鍛造などにより形成した環状溝ならびに内側および外側切欠きと、この内端面に当接するヨーク部１２ａの外端面により形成してもよい。コア部１２ｂ外端面と弁スリーブ２１の間に形成される第２連通路１７についても同様である。
【００３４】
また上述した実施の形態では、第３連通路１８は、ヨーク部１２ａの外端面に迷路状に設けた環状溝１８ａおよび各切欠き１８ｂ，１８ｃにカバー１４の内底面を当接することにより形成しているので、迷路状である割りには簡単に形成することができる。同様に各給排通路１９，２５も迷路状ではあるが簡単に形成することができる。
【図面の簡単な説明】
【図１】本発明による電磁弁の一実施形態の全体構造を示す縦断面図である。
【図２】図１の２−２断面図である。
【図３】図１の３−３断面図である。
【図４】図１の４−４断面図である。
【図５】比較例の電磁弁の一例を示す縦断面図である。
【図６】図５の６−６断面図である。
【図７】図５の７−７断面図である。
【符号の説明】
１１…ステータ、１１ａ…内孔、１２ａ…ヨーク部、１２ｂ…コア部、１３…電磁コイル、１４…カバー、１５…プランジャ、１５ａ…一端面、１５ｂ…他端面、１６…第１連通路、１７…第２連通路、１８…第３連通路、１９…駆動部側給排通路、２１…弁スリーブ、２１ａ…弁孔、２２…スプール、２２ａ…軸部、２４…スプリング、２５…弁部側吸排通路、Ａ…端部液室、Ｂ…電磁部液室、Ｃ…通路、Ｄ…中間液室、Ｄ１…第１室Ｄ、Ｄ２…第２室Ｄ，Ｅ…透過性仕切壁。
【図１】
2004278607.tif 000003
【図２】
2004278607.tif 000004
【図３】
2004278607.tif 000005
【図４】
2004278607.tif 000006
【図５】
2004278607.tif 000007
【図６】
2004278607.tif 000008
【図７】
2004278607.tif 000009